(57)【要約】  【課題】  カクテル等のように混合して飲料する飲料物を容易に作ることができる飲料物用容器を提供すること。  【解決手段】  少なくとも２種類以上の飲料物を収納する飲料物用容器１１であって、一端が開口する透明な容器本体１２と、容器本体１２の内部に設けられ、容器本体１２を少なくとも２つ以上の飲料物収納部１２ａ、１２ｂに仕切る螺旋状の仕切部材１３とを備える。また、蓋１４を開けることにより、シート部材２２が仕切部材２１から剥がれ、切り欠き部２１ａを通して飲料物収納部２３ａ、２３ｂが連通して２種類の飲料物が混合されるようにしても良い。【選択図】  図１
2007015755.tif 000002
【特許請求の範囲】
【請求項１】
少なくとも２種類以上の飲料物を収納する飲料物用容器であって、
一端が開口する透明な容器本体と、前記容器本体の内部に設けられ、前記容器本体を少なくとも２つ以上の飲料物収納部に仕切る仕切部材とを備えたことを特徴とする飲料物用容器。
【請求項２】
前記仕切部材は、螺旋状に形成されることを特徴とする請求項１に記載の飲料物用容器。
【請求項３】
前記仕切部材は、前記容器本体の長手方向に沿って形成された切り欠き部と、前記切り欠き部を塞ぐようにして前記仕切部材に装着された軟質部材からなるシート部材とを備え、前記仕切部材から前記シート部材を取外すことにより、前記２つ以上の飲料物収納部が連通して飲料物が混合されることを特徴とする請求項１または請求項２に記載の飲料物収納容器。
【請求項４】
前記容器本体の一端を閉塞する蓋を備えるとともに前記シート部材を前記蓋の背面に固定し、前記蓋を開放するのと同時に前記シート部材が前記仕切部材から剥がれることを特徴とする請求項３に記載の飲料物用容器。
【請求項５】
前記容器本体の一端を閉塞する蓋を備えるとともに前記蓋からミシン目を介して前記シート部材の端部を突出させ、前記シート部材を引っ張ることにより、前記シート部材が前記仕切部材から剥がれることを特徴とする請求項３に記載の飲料物用容器。
【請求項６】
前記仕切部材は、前記仕切部材の所定の位置に形成された切り欠き部と、前記切り欠き部を塞ぐようにして前記仕切部材に装着された軟質部材からなるシート部材と、前記容器本体の底面から前記仕切部材の中を通って前記シート部材に連結され、前記仕切部材に対して回転可能な棒状部材とを備え、前記棒状部材を回転させて前記仕切部材から前記シート部材を回転させて取外すことにより、前記２つ以上の飲料物収納部が連通して飲料物が混合されることを特徴とする請求項１または請求項２に記載の飲料物収納容器。
【請求項７】
前記仕切部材の一部が移動自在に構成され、前記仕切部材の一部を移動させることにより、２つ以上の飲料物収納部が連通して飲料物が混合されることを特徴とする請求項１または請求項２記載の飲料物用容器。
【発明の詳細な説明】
【技術分野】
【０００１】
本発明は、飲料物用容器に関し、例えば、カクテル等の材料となる２種類以上の飲料物を収納する飲料物用容器に関する。
【背景技術】
【０００２】
一般に、カクテル等のように２種類以上の飲料物を混合するアルコール飲料にあっては、複数の飲料物をシェーカーに入れて混合させることが知られている。このようなカクテルの材料に限らず、飲料物はそれぞれ別々の容器に入っていることが一般的である（例えば、特許文献１参照）。
【特許文献１】特開２００２−１８４２６１号公報
【発明の開示】
【発明が解決しようとする課題】
【０００３】
しかしながら、このような飲料物用容器にあっては、１つの容器に１種類の飲料物しか入っていないため、カクテルを製造するためには、複数種類の飲料物を購入して混合しなければならず、カクテルの製造方法が分からない人にとっては製造が面倒であった。
【０００４】
本発明はこのような問題を解決するためになされたもので、カクテル等のように混合して飲料する飲料物を容易に作ることができる飲料物用容器を提供するものである。
【課題を解決するための手段】
【０００５】
本発明の飲料物用容器は、少なくとも２種類以上の飲料物を収納する飲料物用容器であって、一端が開口する透明な容器本体と、前記容器本体の内部に設けられ、前記容器本体を少なくとも２つ以上の飲料物収納部に仕切る仕切部材とを備えたものから構成されている。
【０００６】
この構成により、容器本体が仕切部材によって複数の飲料物収納部に仕切られているので、各飲料物収納部に、予めカクテルの材料となる混合用の飲料物を収納することにより、知識のない人でもカクテル等のように混合して飲料する飲料物を容易に作ることができる。
【０００７】
また、本発明の飲料物用容器の前記仕切部材は、螺旋状に形成されるものから構成されている。
この構成により、透明な容器本体に仕切部材が螺旋状に形成されているので、飲料物を容器本体内に螺旋状に収納することができ、見栄えを向上させることができる。
【０００８】
また、本発明の飲料物用容器は、前記仕切部材は、前記容器本体の長手方向に沿って形成された切り欠き部と、前記切り欠き部を塞ぐようにして前記仕切部材に装着された軟質部材からなるシート部材とを備え、前記仕切部材から前記シート部材を取外すことにより、前記２つ以上の飲料物収納部が連通して飲料物が混合されるものから構成されている。
【０００９】
この構成により、仕切部材からシート部材を取外すことにより、２つ以上の飲料物収納部が切り欠き部を介して連通して飲料物が混合されるので、通常は２種類以上の飲料物を完全に分離し、飲料時には２種類以上の飲料物を簡単に混合して飲むことができる。したがって、容器本体をそのままカクテル用の容器等としても使用することができ、飲料用の容器を不要にすることができる。
【００１０】
また、本発明の飲料物用容器は、前記容器本体の一端を閉塞する蓋を備えるとともに前記シート部材を前記蓋の背面に固定し、前記蓋を開放するのと同時に前記シート部材が前記仕切部材から剥がれるものから構成されている。
【００１１】
この構成により、飲料時に蓋を開放するだけで２種類以上の飲料物を簡単に混合することができ、そのままカクテル用の容器等としても使用することができる。また、蓋を開けるのと同時にシート部材を仕切部材から剥がすことができるので、シート部材を仕切部材から簡単に取外すことができる。
【００１２】
また、本発明の飲料物用容器は、前記容器本体の一端を閉塞する蓋を備えるとともに前記蓋からミシン目を介して前記シート部材の端部を突出させ、前記シート部材を引っ張ることにより、前記シート部材が前記仕切部材から剥がれるものから構成されている。
【００１３】
この構成により、蓋を閉じた状態のままでシート部材を引っ張ることにより、シート部材を仕切部材から剥がすことができるので、そのまま容器本体を振って２種類以上の飲料物を簡単に混合することができ、飲料物が周囲に飛散するのを防止することができる。
【００１４】
また、本発明の飲料物用容器は、前記仕切部材は、前記仕切部材の所定の位置に形成された切り欠き部と、前記切り欠き部を塞ぐようにして前記仕切部材に装着された軟質部材からなるシート部材と、前記容器本体の底面から前記仕切部材の中を通って前記シート部材に連結され、前記仕切部材に対して回転可能な棒状部材とを備え、前記棒状部材を回転させて前記仕切部材から前記シート部材を回転させて取外すことにより、前記２つ以上の飲料物収納部が連通して飲料物が混合されるものから構成されている。
【００１５】
この構成により、蓋を閉じたままの状態で棒状部材を把持してシート部材を回転させて仕切部材からシート部材を回転させて取外すことにより、２つ以上の飲料物収納部が切り欠き部を介して連通して飲料物が混合されるので、通常は２種類以上の飲料物を完全に分離し、飲料時には２種類以上の飲料物を簡単に混合して飲むことができる。したがって、容器本体をそのままカクテル用の容器等としても使用することができ、飲料用の容器を不要にすることができる。
また、シート部材が仕切部材から剥がれた後に、棒状部材を把持してシート部材を回転させることにより、複数の飲料物を攪拌して混合することができる。
【００１６】
また、本発明の飲料物用容器は、前記仕切部材の一部が移動自在に構成され、前記仕切部材の一部を移動させることにより、２つ以上の飲料物収納部が連通して飲料物が混合されるものから構成される。
【００１７】
この構成により、仕切部材の一部を移動させることにより、仕切部材が離隔して２つ以上の飲料物収納部が連通して飲料物が混合されるので、通常は２種類以上の飲料物を完全に分離し、飲料時には２種類以上の飲料物を簡単に混合して飲むことができる。したがって、容器本体をそのままカクテル用の容器等としても使用することができ、飲料用の容器を不要にすることができる。
【発明の効果】
【００１８】
本発明の飲料物用容器によれば、カクテル等のように混合して飲料する飲料物を容易に作ることができる飲料物用容器を提供することができる。
【発明を実施するための最良の形態】
【００１９】
以下、本発明の好適な実施の形態について、図面を用いて説明する。
図１は本発明に係る飲料物用容器の第１の実施の形態を示す図である。
まず、構成を説明する。図１において、飲料物用容器１１は一端が開口する透明な容器本体１２と、容器本体１２の内部に設けられ、容器本体１２を２つの飲料物収納部１２ａ、１２ｂに仕切る仕切部材１３と、容器本体１２の開口部分を閉塞する蓋１４とを備えている。
【００２０】
また、容器本体１２および仕切部材１３はＰＥＴ（ポリエチレンテレフタレート）等の樹脂材料から構成されており、仕切部材１３は螺旋状に形成されている。また、蓋１４は紙から構成されており、接着剤によって容器本体１２に取付けられている。
【００２１】
本実施の形態では、カクテルの材料になる飲料物を飲料物収納部１２ａ、１２ｂに収納して蓋１４を取付ける。例えば、ブランデージンジャーであれば、飲料物収納部１２ａにブランデーを収納し、飲料物収納部１２ｂに水と適量のジンジャーエールを混合した飲料物を収納して蓋１４を取付ける。この結果、２種類の飲料物が仕切部材１３に仕切られて混合することが無い。
【００２２】
カクテルを作る場合には、蓋１４を開けて容器に飲料物を移し替えして２種類の飲料物を混合して氷を入れることにより、カクテルを簡単に作ることができる。
また、カクテルの種類に応じた異なる材料の飲料物を容器本体１２に収納し、飲料物用容器１１毎に種々のカクテルを作ることができるようにすれば、知識のない人でもカクテルを容易に作ることができる。
【００２３】
また、本実施の形態では、仕切部材１３を螺旋状に形成しているので、飲料物を容器本体１２内に螺旋状に収納することができ、見栄えを向上させることができる。また、飲料物を他の容器に移し替えるときに、容器本体１２から飲料物が螺旋状に混合されながら出るので、その様子を楽しみながらカクテルを作ることができる。
【００２４】
図２〜図４は本発明に係る飲料物用容器の第２の実施の形態を示す図であり、第１の実施の形態と同様の構成には同一番号を付して説明を省略する。
図２、図３において、容器本体１２内は鉛直方向に延在する板状の仕切部材２１が設けられており、容器本体１２内は仕切部材２１によって飲料物収納部２３ａ、２３ｂに仕切られている。
【００２５】
また、仕切部材２１には容器本体１２の長手方向に沿って切り欠き部２１ａが形成されており、仕切部材２１には切り欠き部２１ａを塞ぐようにして塩化ビニル等の軟質部材からなるシート部材２２が装着されており、飲料物収納部２３ａ、２３ｂに収納された飲料物は仕切部材２１およびシート部材２２によって仕切られて混合されることはない。
【００２６】
なお、シート部材２２は延在方向両側面が仕切部材２１に強固に圧着されたり、延在方向両側面が小さい粘着力を有する粘着部材によって仕切部材２１に液密的に固着される。
また、シート部材２２の一端は蓋１４の背面に固定されており、この蓋１４はシート部材２２を仕切部材２１に取付けた後に、その外周部が容器本体１２に取付けられるようになっている。
【００２７】
本実施の形態では、蓋１４を開けることにより、シート部材２２が仕切部材２１から剥がれ、切り欠き部２１ａを通して飲料物収納部２３ａ、２３ｂが連通して２種類の飲料物が混合される。したがって、カクテル等の飲料時には２種類以上の飲料物を簡単に混合し、容器本体１２をそのままカクテル用の容器としても使用することができ、飲料用の容器を不要にすることができる。
【００２８】
また、本実施の形態では、蓋１４を開けるのと同時にシート部材２２を仕切部材２１から剥がすことができるので、シート部材２２を仕切部材２１から簡単に取外すことができる。
【００２９】
なお、本実施の形態では、蓋１４の背面にシート部材２２を取付けているが、図４に示すように、蓋１４から図示しないミシン目を介してシート部材２４の端部を突出させ、蓋１４を押さえた状態でシート部材２４を引っ張ることにより、シート部材２４を仕切部材２１から剥がすようにしても良い。このようにすれば、蓋１４をしたままの状態で容器本体１２を振って２種類の飲料物を簡単に混合することができ、飲料物が周囲に飛散するのを防止することができる。
【００３０】
図５、図６は本発明に係る飲料物用容器の第３の実施の形態を示す図であり、第１の実施の形態と同様の構成には同一番号を付して説明を省略する。
図５、図６において、容器本体１２内は鉛直方向に延在する板状の仕切部材３１が設けられており、容器本体１２内は仕切部材３１によって飲料物収納部３２ａ、３２ｂに仕切られている。
【００３１】
また、仕切部材３１の略中央部には切り欠き部３１ａが形成されており、仕切部材３１には切り欠き部３１ａを塞ぐようにして塩化ビニル等の軟質部材からなるシート部材３３が装着されており、飲料物収納部３２ａ、３２ｂに収納された飲料物は仕切部材３１およびシート部材３３によって仕切られて混合されることはない。
【００３２】
なお、シート部材３３は両側面が仕切部材３１に強固に圧着されたり、両側面が小さい粘着力を有する粘着部材によって仕切部材３１に液密的に固着される。
【００３３】
また、シート部材３３の下端には棒状部材３４の一端が取付けられており、この棒状部材３４の他端は仕切部材３１の内部に形成された挿通孔を通して容器本体１２の底部外方に突出し、仕切部材３１に対して摺動自在になっている。
【００３４】
本実施の形態では、図６（ｂ）に示すように棒状部材３４を回転させて仕切部材３１からシート部材３３を回転させて取外すことにより、飲料物収納部３２ａ、３２ｂが切り欠き部３１ａを介して連通して飲料物が混合される。
【００３５】
したがって、通常は２種類以上の飲料物を完全に分離し、飲料時には２種類以上の飲料物を簡単に混合して飲むことができる。このため、容器本体１２をそのままカクテル用の容器等としても使用することができ、飲料用の容器を不要にすることができる。
【００３６】
また、シート部材３３を仕切部材３１から剥がした後に、棒状部材３４を把持してシート部材３３を回転させることにより、複数の飲料物を攪拌して混合することができる。
【００３７】
なお、上記各実施の形態では、仕切部材で容器本体を２つの飲料物収納部に仕切っているが、３つ以上に仕切って３種類以上の飲料物を容器本体に収納するようにしても良い。
【００３８】
図７は本発明に係る飲料物用容器の第４の実施の形態を示す図であり、第１の実施の形態と同様の構成には同一番号を付して説明を省略する。本実施の形態では仕切部材１３を上仕切部材１３ａと下仕切部材１３ｂに二分割して、図７（ａ）〜図７（ｃ）に示すように下仕切部材１３ｂを回動させることにより、飲料物収納部１２ａ、１２ｂを連通して飲料物を混合させるようにしている。
【００３９】
下仕切部材１３ｂは容器本体１２の底面に回動自在に嵌合された筒状の部材と一体になっており、上仕切部材１３ａに接続されて飲料物収納部１２ａ、１２ｂを仕切る状態のときには上仕切部材１３ａに密着している。
この状態から容器本体１２の底面側から回動部材を把持して下仕切部材１３ｂを回動させることにより、飲料物収納部１２ａ、１２ｂを連通して飲料物を混合させる。
【００４０】
なお、混合機構の構造はこれに限らず、図８に示すように、上仕切部材１３ａを容器本体１２に対して上下動自在に構成し、上仕切部材１３ａを上方に移動させて下仕切部材１３ｂから引き離すことにより、飲料物収納部１２ａ、１２ｂを連通して飲料物を混合させるようにしても良い。
【００４１】
また、図９に示すように、仕切部材１３の中央部に容器本体１２の上下方向に存在し、飲料物収納部１２ａ、１２ｂを連通する切欠き部１３ｃを設け、この切欠き部１３ｃに棒状部材４１を嵌合することにより、飲料物収納部１２ａ、１２ｂを仕切って飲料物が混合しない状態にし、棒状部材４１を仕切部材１３から引き抜くことにより、飲料物収納部１２ａ、１２ｂを連通するようにしても良い。
【００４２】
このように、仕切部材１３の一部を移動させることにより、仕切部材１３を離隔させて飲料物収納部１２ａ、１２ｂを連通させて飲料物を混合させることができるので、カクテル等の飲料時には２種類の飲料物を簡単に混合し、容器本体１２をそのままカクテル用の容器としても使用することができ、飲料用の容器を不要にすることができる。
【００４３】
また、本実施の形態および第１の実施の形態では、仕切部材１３が半周程度の螺旋形状をしているが、図１０に示すように容器本体１２を長尺にし、仕切部材１３を１周以上に亘って螺旋形状になるようにしても良く、そのピッチを大きくしたり、小さくすることも可能である。
【００４４】
このようにすれば、色の異なる２種類の飲料物が容器本体１２に収納されたときに、大きいピッチや小さいピッチで螺旋状に収納することができるので、見ていて楽しむことができる。
【００４５】
また、飲料物を他の容器に移し替えるときに、容器本体１２から２種類の飲料物が螺旋状に出て行くので、その様子を楽しむこともできる。なお、仕切部材１３は螺旋状に形成されているが、鉛直方向に形成されていても良い。
【００４６】
また、図１１に示すように、上仕切部材部５１ａを鉛直方向に存在させ、下仕切部材５１ｂを螺旋状に形成しても良く、この反対に形成しても良い。また、図１２に示すように、螺旋状の仕切部材６２ａ〜６２ｃを備えた容器本体６１ａ〜６１ｃを３つ結合してそれぞれの容器本体６１ａ〜６１ｃに異なる飲料物を収納するようにしても良い。
【００４７】
本発明では容器本体に異なる種類の飲料物を収納し、これらの飲料物を混合させるような機構であればどのような構造でも構わない。
また、上記各実施の形態では、カクテル等を収納する飲料物用容器について説明しているが、水と粉末状の苺やココア等を容器本体１２に収納してジュースを作るようにしたり、焼酎と炭酸水を容器本体１２に収納して酎ハイを作るようにしても良い。
【産業上の利用可能性】
【００４８】
以上のように、本発明に係る飲料物用容器は、カクテル等のように混合して飲料する飲料物を容易に作ることができるという効果を有し、カクテルの材料となる２種類以上の飲料物を収納する飲料物用容器等として有用である。
【図面の簡単な説明】
【００４９】
【図１】（ａ）は本発明の第１の実施の形態における蓋を取った状態の飲料物用容器の上面図、（ｂ）は本発明の第１の実施の形態における飲料物用容器の正面図、（ｃ）は同図（ｂ）のＡ−Ａ方向矢視断面図、（ｄ）は本発明の第１の実施の形態における飲料物用容器の他の側面図
【図２】本発明の第２の実施の形態における飲料物用容器の斜視図
【図３】本発明の第２の実施の形態における他の形状の飲料物用容器の容器本体と蓋の分解図
【図４】（ａ）は本発明の第２の実施の形態における飲料物用容器の斜視図、（ｂ）は本発明の第２の実施の形態における他の飲料物用容器の蓋の斜視図、（ｃ）は本発明の第２の実施の形態における他の飲料物用容器のシート部材の構成図
【図５】（ａ）は本発明の第３の実施の形態における飲料物用容器の上面図、（ｂ）は本発明の第３の実施の形態における飲料物用容器の正面図、（ｃ）は本発明の第３の実施の形態における飲料物用容器の一部断面を示す側面図
【図６】（ａ）は本発明の第３の実施の形態における飲料物用容器の斜視図、（ｂ）は本発明の第３の実施の形態における飲料物用容器のシート部材および棒状部材の構成図、（ｃ）は本発明の第３の実施の形態における飲料物用容器のシート部材を剥がす状態を示す図
【図７】本発明の第３の実施の形態における飲料物用容器の下仕切部材が回動する状態を示す断面図
【図８】本発明の第３の実施の形態における飲料物用容器の上仕切部材が上昇する状態を示す断面図
【図９】（ａ）は本発明の第３の実施の形態における飲料物用容器の仕切部材に棒状部材が嵌合した状態を示す断面図、（ｂ）は仕切部材から棒状部材が引き抜かれた状態を示す断面図
【図１０】本発明の第１、第３の実施の形態における飲料物用容器の他の構成を示す断面図
【図１１】本発明の第１、第３の実施の形態における飲料物用容器の他の構成を示す断面図
【図１２】本発明の第１、第３の実施の形態における飲料物用容器の他の構成を示す図
【符号の説明】
【００５０】
１１  飲料物用容器
１２、６１ａ、６１ｂ、６１ｃ  容器本体
１２ａ、１２ｂ、２３ａ、２３ｂ、３２ａ、３２ｂ  飲料物収納部
１３、２１、３１、６２ａ、６２ｂ、６２ｃ  仕切部材
１４  蓋
２１ａ、３１ａ  切り欠き部
３４、４１棒状部材
【図１】
2007015755.tif 000003
【図２】
2007015755.tif 000004
【図３】
2007015755.tif 000005
【図４】
2007015755.tif 000006
【図５】
2007015755.tif 000007
【図６】
2007015755.tif 000008
【図７】
2007015755.tif 000009
【図８】
2007015755.tif 000010
【図９】
2007015755.tif 000011
【図１０】
2007015755.tif 000012
【図１１】
2007015755.tif 000013
【図１２】
2007015755.tif 000014